(57)【要約】【課題】溝の加工が容易で、材料費を低減することができる柱梁連結金具を提供する。【解決手段】柱２には、柱端面１１と両側面１３，１３Ａに開口する外側及び内側係合溝１４，１５が長さ方向に形成され、梁３には、梁端面１２と上，下面１６，１７に開口し、突き合わせ状態で外側及び内側係合溝１４，１５に連続する上側及び下側係合溝１８，１９が長さ方向に形成され、柱梁用金具本体１は、外側係合溝１３と上側係合溝１８に挿入する外片部５と、内側係合溝１５と下側係合溝１９に挿入する内片部６とを備え、柱梁用金具本体１の結合孔２６に、ピン２８を挿入して柱２と梁３とを接合するから、柱２には、該柱２の幅方向中央部を除いた外側係合溝１４と内側係合溝１５を形成すればよく、梁３には、該梁３の幅方向中央部を除いた上側係合溝１８と下側係合溝１９を形成すればよく、表面から比較的浅い係合溝を加工するだけで済む。【選択図】図１
2015094071.tif 000002
【特許請求の範囲】
【請求項１】
第一接合部材の第一端面を斜めに形成すると共に、第二接合部材の第二端面を斜めに形成し、これら第一端面と第二端面に係合溝を形成し、前記第一端面と第二端面とを突き合せ、それら係合溝に接合金具本体を挿入し、この係合溝に挿入した接合金具本体の結合孔に、ピンを挿入して前記第一接合部材と第二接合部材とを接合する木造建築用の接合金具において、
前記第一接合部材には、前記第一端面と第一の一方側面及び前記第一端面と第一の他方側面に開口する第一の一方係合溝及び第一の他方係合溝が長さ方向に形成され、
前記第二接合部材には、前記第二端面と第二の一方側面及び前記第二端面と第二の他方側面に開口する第二の一方係合溝及び第二の他方係合溝が長さ方向に形成され、
前記接合金具本体は、前記第一の一方係合溝と前記第二の一方係合溝に挿入する外片部と、前記第一の他方係合溝と前記第二の他方係合溝に挿入する内片部とを備えることを特徴とする木造建築用の接合金具。
【請求項２】
前記第一端面及び第二端面には、突き合わせ状態で連続する第一端面係合溝及び第二端面係合溝が形成され、
前記第一端面係合溝と前記第二端面係合溝に挿入されると共に、前記外片部の屈曲部と内片部の屈曲部とを連結する連結部とを備えることを特徴とする請求項１記載の木造建築用の接合金具。
【請求項３】
接合状態で前記外片部及び前記内片部の幅より前記外片部の内縁と前記内片部の内縁との間隔が大きいことを特徴とする請求項１又は２記載の木造建築用の接合金具。
【請求項４】
前記外片部の先端部には、先端側に向かって内側から外側に向かって傾斜した案内縁部を設け、前記内片部の先端部には、先端側に向かって外側から内側に向かって傾斜した案内縁部を設けたことを特徴とする請求項１〜３のいずれか１項に記載の木造建築用の接合金具。
【請求項５】
第一接合部材が柱であり、第二接合部材が梁であり、
前記柱を基礎に立設し、この柱の柱端面を斜めに形成すると共に、前記梁の梁端面を斜めに形成し、これら柱端面と梁端面に係合溝を形成し、前記柱端面と梁端面とを突き合せ、それら係合溝に接合金具本体を挿入し、この係合溝に挿入した接合金具本体の結合孔に、ピンを挿入して前記柱と梁とを接合する木造建築用の接合構造において、
前記柱の長さ方向に形成され、前記柱端面と両側面に開口する外側及び内側係合溝と、
前記梁の長さ方向に形成され、前記梁端面と上，下面に開口し、突き合わせ状態で前記外側及び内側係合溝に連続する上側及び下側係合溝と、
前記柱の長さ方向に形成され、該柱の柱下面と両側面に開口する対をなす下係合溝と、
柱梁用金具本体と、
柱下部用金具本体と、
を備え、
前記柱梁用金具本体は、前記外側係合溝と前記上側係合溝に挿入する外片部と、前記内側係合溝と前記下側係合溝に挿入する内片部とを備え、
前記柱下部用金具本体は、下部に設けたベース体と、このベース体に突設され、前記対をなす下係合溝に挿入する対をなす下挿入片部とを備えることを特徴とする木造建築用の接合構造。
【発明の詳細な説明】
【技術分野】
【０００１】
本発明は、柱と梁を連結する木造建築用の接合金具と接合構造に関する。
【背景技術】
【０００２】
従来、この種の木造建築用の接合金具として、柱の側面に重ねる側板の一面側に柱の縦孔へ挿入する柱接合プレートと、他面側に梁の木口に形成した縦溝を挿入する梁接合プレートと、この梁接合プレートの下部の位置に梁受プレートを設けて接合金具を形成し、前記柱接合プレートに締結具で柱を締結するための複数の結合孔と、梁接合プレートに締結具で梁を締結するための複数の結合孔を設けた柱と梁の接合金具（例えば特許文献１）や、左右に間隔を開けて立てた一対の柱Ｈ，Ｈの上側の間に、一対の登り梁を逆Ｖ字型に突き合わせて架設し、逆Ｖ字型に連続する底面の隅角部分に連結金具を、両登り梁に当接する状態で配置すると共に、各登り梁に連結金具を固着手段によって固定し、両登り梁の突合わせ面の前後幅の中央部に、補助金具を収納する係合溝を上下方向に沿って形成し、両登り梁の側面には、係合溝に連通する複数の抜孔を、上下に間隔を開けて設けると共に、各嵌合穴の奥部に連通する複数の抜孔を開け、各抜孔に固着手段であるピンを打ち込むもの（例えば特許文献２）などが知られている。
【先行技術文献】
【特許文献】
【０００３】
【特許文献１】特開２００５−２９９１５０号公報
【特許文献２】特開２０００−２５７２０２号公報
【発明の開示】
【発明が解決しようとする課題】
【０００４】
上記特許文献１の接合金具では、梁の上下幅方向全長に渡って縦溝を形成する必要があり、また、上記特許文献２の接合金具では、登り梁の上下方向全長に渡って係合溝を形成する必要がある。そして、金具の取り付け部位には、高い木材加工精度が要求され、対応できるプレカット工場は限定されていた。
【０００５】
即ち、このように梁の幅方向全長に溝を形成するには、特殊な機械が必要となり、また、梁の長さ方向に長い溝を形成するにも専用の機械が必要となるという問題があった。
【０００６】
さらに、従来のように梁の上下幅方向全長の接合プレートを用いた場合、結合孔が接合プレートの中央部を除いた幅方向両側に設けられているように、接合プレートの中央部は曲げモーメントに対抗する力が小さい部分であるから、材料費的に無駄な面がある。
【０００７】
また、梁の上下幅方向全長の接合プレートは接合プレートに大きな曲げモーメントが加わると、ピンにより木質の梁に亀裂などが生じ易く、接合部における靭性を確保することが難しかった。
【０００８】
そこで、本発明では、上記の問題点を考慮して、溝の加工が容易で、材料費を低減することができる木造建築用の接合金具と接合構造を提供することを目的とする。
【課題を解決するための手段】
【０００９】
請求項１の発明は、第一接合部材の第一端面を斜めに形成すると共に、第二接合部材の第二端面を斜めに形成し、これら第一端面と第二端面に係合溝を形成し、前記第一端面と第二端面とを突き合せ、それら係合溝に接合金具本体を挿入し、この係合溝に挿入した接合金具本体の結合孔に、ピンを挿入して前記第一接合部材と第二接合部材とを接合する木造建築用の接合金具において、前記第一接合部材には、前記第一端面と第一の一方側面及び前記第一端面と第一の他方側面に開口する第一の一方係合溝及び第一の他方係合溝が長さ方向に形成され、前記第二接合部材には、前記第二端面と第二の一方側面及び前記第二端面と第二の他方側面に開口する第二の一方係合溝及び第二の他方係合溝が長さ方向に形成され、前記接合金具本体は、前記第一の一方係合溝と前記第二の一方係合溝に挿入する外片部と、前記第一の他方係合溝と前記第二の他方係合溝に挿入する内片部とを備えることを特徴とする。
【００１０】
また、請求項２の発明は、前記第一端面及び第二端面には、突き合わせ状態で連続する第一端面係合溝及び第二端面係合溝が形成され、前記第一端面係合溝と前記第二端面係合溝に挿入されると共に、前記外片部の屈曲部と内片部の屈曲部とを連結する連結部とを備えることを特徴とする。
【００１１】
また、請求項３の発明は、接合状態で前記外片部及び前記内片部の幅より前記外片部の内縁と前記内片部の内縁との間隔が大きいことを特徴とする。
【００１２】
また、請求項４の発明は、前記外片部の先端部には、先端側に向かって内側から外側に向かって傾斜した案内縁部を設け、前記内片部の先端部には、先端側に向かって外側から内側に向かって傾斜した案内縁部を設けたことを特徴とする。
【００１３】
また、請求項５の発明は、第一接合部材が柱であり、第二接合部材が梁であり、前記柱を基礎に立設し、この柱の柱端面を斜めに形成すると共に、前記梁の梁端面を斜めに形成し、これら柱端面と梁端面に係合溝を形成し、前記柱端面と梁端面とを突き合せ、それら係合溝に接合金具本体を挿入し、この係合溝に挿入した接合金具本体の結合孔に、ピンを挿入して前記柱と梁とを接合する木造建築用の接合構造において、前記柱の長さ方向に形成され、前記柱端面と両側面に開口する外側及び内側係合溝と、前記梁の長さ方向に形成され、前記梁端面と上，下面に開口し、突き合わせ状態で前記外側及び内側係合溝に連続する上側及び下側係合溝と、前記柱の長さ方向に形成され、該柱の柱下面と両側面に開口する対をなす下係合溝と、梁用金具本体と、柱下部用金具本体と、を備え、前記梁用金具本体は、前記外側係合溝と前記上側係合溝に挿入する外片部と、前記内側係合溝と前記下側係合溝に挿入する内片部とを備え、前記柱下部用金具本体は、下部に設けたベース体と、このベース体に突設され、前記対をなす下係合溝に挿入する対をなす下挿入片部とを備えることを特徴とする。
【発明の効果】
【００１４】
請求項１の構成によれば、第一接合部材には、該第一接合部材の幅方向中央部を除いた第一の一方係合溝と第一の他方係合溝を形成すればよく、第二接合部材には、該第二接合部材の幅方向中央部を除いた第二の一方係合溝と第二の他方係合溝を形成すればよく、表面から比較的浅い係合溝を加工するだけで済む。
【００１５】
そして、前記第一の一方係合溝と前記第二の一方係合溝に挿入する外片部と、前記第一の他方係合溝と前記第二の他方係合溝に挿入する内片部とを備えた接合金具本体により、第一接合部材と第二接合部材を接合することができる。
【００１６】
また、請求項２の構成によれば、第一端面及び第二端面には連結部を挿入する第一端面係合溝と第二端面係合溝を形成すればよく、係合溝の加工が容易になり、しかも、連結部により外片部と内片部を一体化することにより剛性が向上する。
【００１７】
また、請求項３の構成によれば、材料費を抑えながら、曲げモーメントに効率よく対抗する構造が得られる。即ち、接合部に曲げモーメントが加わると、第一接合部材と第二接合部材の両側が引張領域及び圧縮領域となるから、これらに効率よく対抗できる。
【００１８】
また、請求項４の構成によれば、案内先端部により係合溝への挿入が容易となる。
【００１９】
また、請求項５の構成によれば、係合溝の加工が容易で、立設した柱に梁を接合することができる接合構造を提供できる。
【図面の簡単な説明】
【００２０】
【図１】本発明の実施例１を示す柱梁用金具本体の使用状態の正面図である。
【図２】同上、分解斜視図である。
【図３】同上、要部の拡大断面図である。
【図４】同上、柱下部用金具本体の使用状態の断面図である。
【図５】同上、柱下部用金具本体の使用状態の側面図である。
【図６】同上、柱下部用金具本体の要部の正面図である。
【図７】同上、柱下部用金具本体の部品の平面図である。
【図８】同上、接合金具本体を用いて柱と梁を接合した門型構造の断面図である。
【図９】同上、交差梁の接合状態を示す側面図である。
【図１０】本発明の実施例２を示す柱梁用金具本体の使用状態の正面図である。
【図１１】本発明の実施例３を示す柱梁用金具本体の使用状態の正面図である。
【図１２】同上、梁の端部の斜視図である。
【図１３】本発明の実施例４を示す柱梁用金具本体の使用状態の正面図である。
【発明を実施するための最良の形態】
【００２１】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。各実施例では、従来とは異なる新規な柱梁連結金具を採用することにより、従来にない柱梁連結金具が得られ、その柱梁連結金具について記述する。
【実施例１】
【００２２】
図１〜図９は、本発明の実施例１を示し、同図に示すように、接合金具本体である柱梁用金具本体１は、木質材料からなる柱２と梁３とを接合するものであり、接合金具本体である柱下部用金具本体４は、基礎に柱２を立設するものである。尚、この例では、柱２が第一接合部材であり、梁３が第二接合部材である。
【００２３】
そして、前記柱梁用金具本体１は、山形をなす外片部５と、この外片部５と間隔を置いて配置され山形をなす内片部６とを別体で有し、それら外片部５と内片部６は金属板材、例えば鋼板などからなる。そして、外片部５と内片部６の幅，長さ及び板厚は同一であり、後述する結合孔の配置も同一であるが、外片部５と内片部６とが異なるものを用いてもよい。
【００２４】
また、図１及び図２に示すように、柱２の上端に位置する柱端面１１を斜めに形成すると共に、梁の一端に位置する梁端面１２を斜めに形成しており、立設した柱の柱端面１１に梁端面１２を突き合わせることにより、梁３が横方向に配置される。尚、添付の図面では、柱端面１１及び梁端面１２は長さ方向に対して略４５度の角度に形成されているが、９０度以外の異なる角度にしてもよい。また、この例では、柱端面１１が第一端面であり、梁端面１２が第二端面である。
【００２５】
前記柱２には、前記柱端面１１と両側面１３，１３Ａに開口する外側及び内側係合溝１４，１５が長さ方向に形成され、これら外側及び内側係合溝１４，１５は前記外片部５及び内片部６の幅と長さと厚さに対応して形成されている。尚、この例では、外側の側面１３が第一の一方側面であり、内側の側面１３Ａが第一の他方側面であり、また、外側係合溝１４が第一の一方係合溝であり、内側係合溝１５が第一の他方係合溝である。
【００２６】
そして、内側及び外側係合溝１５，１４の幅は、それら１５の内縁と外側係合溝１４の内縁との間の間隔Ｋより狭く形成されている。
【００２７】
また、梁３には、前記梁端面１１と上面１６及び下面１７に開口する上側及び下側係合溝１８，１９が長さ方向に形成され、これら上側及び下側係合溝１８，１９は前記外片部５及び内片部６の幅と長さと厚さに対応して形成されている。そして、柱端面１１と梁端面１２とを突き合わせた状態で、外側及び内側係合溝１４，１５に連続する上側及び下側係合溝１８，１９が連続する。尚、外側及び内側係合溝１４，１５は側面１３，１３Ａの幅方向中央に形成され、上側及び下側係合溝１８，１９は上面及び下面１６，１７の幅方向中央に形成されている。尚、この例では、上面１６第二の一方側面であり、下面１７が第二の他方側面であり、また、上側係合溝１８が第二の一方係合溝であり、下側係合溝１９が第二の他方係合溝である。
【００２８】
そして、上側及び下側係合溝１８，１９の幅は、それら上側係合溝１８の下縁と下側係合溝１９の上縁との間の間隔Ｋ´より狭く形成されている。尚、上側及び下側係合溝１８，１９の幅と長さと厚さは、内側及び外側係合溝１４，１５の幅と長さと厚さに等しい。
【００２９】
前記外片部５は中央に屈曲部２１を有し、この屈曲部２１の両側に前記外側係合溝１４と上側係合溝１８に挿入する外側挿入部２２，２２を有する。前記内片部６は中央に屈曲部２３を有し、この屈曲部２３の両側に前記内側係合溝１５と下側係合溝１９に挿入する内側挿入部２４，２４を有する。
【００３０】
また、外片部５の外側挿入部２２，２２の先端には、先端側に向かって内側から外側に向かって傾斜した案内縁部２２Ｆ，２２Ｆを設け、前記内片部６の内側挿入部２４，２４の先端には、先端側に向かって外側から内側に向かって傾斜した案内縁部２４Ｆ，２４Ｆを設けており、それら案内縁部２２Ｆ，２４Ｆは凸状の湾曲形状に形成され、先端にはＲ加工部２５が設けられている。
【００３１】
尚、図３に示すように、挿入部２２，２４の幅は係合溝１８，１４，１９，１５の幅と略同一か僅かに広く、係合溝１８，１４，１９，１５の先端１８Ｔ，１４Ｔ，１９Ｔ，１５Ｔは湾曲状に形成されている。
【００３２】
さらに、前記外側挿入部２２，２２及び内側挿入部２４，２４の内縁側で先端側には、複数（この例では４個）の結合孔２６が長さ方向に並んで穿設されている。また、それら結合孔２６に対応して、前記柱２及び梁３には挿通孔２７が穿設されている。そして、前記挿通孔２７と結合孔２６に、ボルトやドリフトピンなどのピン２８を挿入することにより、連結する。
【００３３】
また、前記外側挿入部２２，２２の屈曲部２１側には、交差方向の交差梁３１を連結するための挿通孔３２，３３を穿設している。
【００３４】
前記屈曲部２１の中央に位置する前記挿通孔３２は、両側の外側挿入部２２，２２の長さ方向に長く形成されて略Ｌ形をなし、中央の挿通孔３２から両側に向かって並んだ複数の前記挿通孔３３は、外側挿入部２２の幅方向に長く形成されている。尚、添付の図面では、いずれの挿通孔３２，３３とも直径の２倍以下の長さの長孔であるが、２倍以上にしてもよい。また、挿通孔３２，３３を使用する場合は、柱２と梁３にもそれら挿通孔３２，３３に対応して、円形の挿通孔３２Ａ，３３Ａを穿設する。
【００３５】
前記柱下部用金具本体４は、金属板材、例えば鋼板などを組み合わせてなり、図示しない基礎にアンカーボルト４１，４１を突設し、前記基礎上に直接箱型のベース体４２が固定される。
【００３６】
前記ベース体４２は、上が開口したコ字形のベース枠４３と、このベース枠４３の上部に設ける上板４４とを一体に有し、ベース枠４３と上板４４の中央は上下方向の仕切り板４５により連結されている。前記ベース枠４３の底板部４３Ｔには、前記アンカーボルト４１を挿通する挿通孔４３Ａ，４３Ａが左右に穿設されている。
【００３７】
前記柱２の下部には、柱下面５１と側面１３，１３Ａに開口する下係合溝５２，５２が設けられている。前記柱下部用金具本体４には、図６に示すように、それら下係合溝５２，５２に挿入する下挿入部４６，４６を備え、これら下挿入部４６，４６の下部は下連結部４７により連結されている。この下連結部４７の下縁には、左右に切欠き部４７Ａ，４７Ａを設け、これら切欠き部４７Ａ，４７Ａは前記挿通孔４５，４５に対応して形成されている。尚、それら下挿入部４６，４６及び下連結部４７は１枚の金属板材からなる。
【００３８】
前記下挿入部４６は、上下方向に長く形成され、その先端には、先端側に向かって柱２の中央から外側に向かって傾斜した案内縁部４８を設けており、この案内縁部４８は凸状の湾曲形状に形成され、先端にはＲ加工部４９が設けられてる。また、下挿入部４７の内縁側で上端側には、複数の結合孔２６が長さ方向に並んで穿設されている。また、それら結合孔２６に対応して、前記柱２には挿通孔２７が穿設されている。
【００３９】
そして、上板４４の左右には、前記下挿入部４６，４６を挿通するスリット５０，５０が形成されており、これらスリット５０，５０はそれぞれ両側に開口する。そして、それらスリット５０，５０に両側の下挿入部４６，４６を挿通し、上板４４の下面が下連結部４７の上縁に当接すると共に、下連結部４７がベース枠４３の底板部４３Ｔに当接し、この状態で部材同士を溶接などにより接合一体化する。尚、上板４４の上面は平坦に形成されている。
【００４０】
次に、前記柱梁用金具本体１の使用方法について説明する。柱端面１１と梁端面１２とを突き合わせ、連続した外側係合溝１４と上側係合溝１８に、外片部５を挿入配置し、また、連続した内側係合溝１５と下側係合溝１９に、内片部６を挿入配置し、結合孔２６と挿入孔２７にピン２８を挿入することにより、柱２と梁３を連結固定する。
【００４１】
一方、柱２と梁３とを連結した後、または、連結する前に、柱２の柱下面５１の下係合溝５２，５２に、下挿入部４６，４６の先端を合わせ、下係合溝５２，５２の長さ方向の両下挿入部４６，４６をスライドして、下係合溝５２，５２に下挿入部４６，４６を挿入配置する。この場合、下挿入部４６の先端には、案内縁部４８が形成されているため、スムーズに挿入することができる。この後、結合孔２６と挿入孔２７にピン２８を挿入することにより、柱下部用金具本体４に柱２を連結固定する。
【００４２】
また、透孔４５，４５にアンカーボルト４１の上端を挿入し、該アンカーボルト４１にナット４１Ａを螺合することにより、柱下部用金具本体４を固定する。これにより布基礎などの上に柱２を立設することができる。
【００４３】
図８に示すように、両側の柱２，２の上端間に梁３を接合することにより、門型構造が得られる。そして、この例では、上片部５と下片部６とを別体で設けているため、柱２と梁３との角度を大きくしたり小さくしたりする荷重を繰り返し加える試験を行った結果、柱梁用金具本体１の塑性変形により接合部における靭性の向上を図ることができた。
【００４４】
また、図９に示すように、柱２の上部に前記梁３と交差する交差梁３１を連結する場合は、前記挿通孔３２，３３に対応して、柱２に挿通孔３２Ａ，３３Ａを穿設し、固定手段たるボルト６１を、前記挿通孔３２Ａ，３３Ａ及び挿通孔３２，３３に挿通する。また、交差梁３１には上下方向に貫通する一対の嵌入溝６２，６２が間隔を置いて縦設され、これら嵌入溝６２，６２に固定金具６３が挿入される。
【００４５】
前記固定金具６３は、鋼板をコ字型に折曲形成して前記柱２に固定する背板部６４と、この背板部６４の両側縁から互いに平行するように屈曲した一対の側板部６５，６５とを一体に有している。そして、前記背板部６４に前記ボルト６１を挿通し、このボルト６１にナット６１Ａを螺合することにより、前記側面１３，１３Ａ以外の柱２の側面に固定金具６３を固定し、この固定金具６３の両側板部６５，６５を前記一対の嵌入溝６２，６２に係入する。また、前記側板部６５の上部には、上部が開口した切欠孔６６が形成され、前記切欠溝６６により交差梁３１に圧入したドリフトピンなどのピン２８を支持し、さらに、交差梁３１に挿通したピン２８を、側板部６５の結合孔２６に挿入することにより、交差梁３１を柱２に連結することができる。
【００４６】
このように本実施例では、請求項１に対応して、第一接合部材たる柱２の第一端面たる柱端面１１を斜めに形成すると共に、第二接合部材たる梁３の第二端面たる梁端面１２を斜めに形成し、これら柱端面１１と梁端面１２に係合溝を形成し、前記柱端面１１と梁端面１２とを突き合せ、それら係合溝に接合金具本体たる柱梁用金具本体１を挿入し、この係合溝に挿入した柱梁用金具本体１の結合孔２６に、ピン２８を挿入して柱２と梁３とを接合する木造建築用の柱梁接合金具において、柱２には、柱端面１１と第一の一方側面，第一の他方側面たる両側面１３，１３Ａに開口する第一の一方係合溝及び第一の他方係合溝たる外側及び内側係合溝１４，１５が長さ方向に形成され、梁３には、梁端面１２と第二の一方側面，第二の他方側面たる上，下面１６，１７に開口し、突き合わせ状態で外側及び内側係合溝１４，１５に連続する第二の一方係合溝及び第二の他方係合溝たる上側及び下側係合溝１８，１９が長さ方向に形成され、接合金具本体たる柱梁用金具本体１は、外側係合溝１４と上側係合溝１８に挿入する外片部５と、内側係合溝１５と下側係合溝１９に挿入する内片部６とを備えるから、柱２には、該柱２の幅方向中央部を除いた外側係合溝１４と内側係合溝１５を形成すればよく、梁３には、該梁３の幅方向中央部を除いた上側係合溝１８と下側係合溝１９を形成すればよく、表面から比較的浅い係合溝を加工するだけで済む。
【００４７】
そして、外側係合溝１４と上側係合溝１８に挿入する外片部５と、内側係合溝１５と下側係合溝１９に挿入する内片部６とを備えた柱梁用金具本体１により、柱２と梁３を接合することができる。
【００４８】
また、このように本実施例では、請求項３に対応して、接合状態で外片部５及び内片部６の幅より外片部５の内縁と内片部６の内縁との間隔Ｋ，Ｋ´が大きいから、材料費を抑えながら、曲げモーメントに効率よく対抗する構造が得られる。即ち、接合部に曲げモーメントが加わると、柱２と梁３に両側が引張領域及び圧縮領域となるから、これらに効率よく対抗できる。
【００４９】
また、このように本実施例では、請求項４に対応して、外片部５の先端部には、先端側に向かって内側から外側に向かって傾斜した案内縁部２２Ｆを設け、内片部６の先端部には、先端側に向かって外側から内側に向かって傾斜した案内縁部２４Ｆを設けたから、案内先端部２２Ｆ，２４Ｆにより係合溝１８，１４，１９，１５への挿入が容易となる。
【００５０】
また、このように本実施例では、請求項５に対応して、柱２の柱端面１１を斜めに形成すると共に、梁３の梁端面１２を斜めに形成し、これら柱端面１１と梁端面１２に係合溝を形成し、前記柱端面１１と梁端面１２とを突き合せ、それら係合溝に接合金具本体たる柱梁用金具本体１を挿入し、この係合溝に挿入した柱梁用金具本体１の結合孔２６に、ピン２８を挿入して柱２と梁３とを接合する木造建築用の柱梁接合構造において、柱２の長さ方向に形成され、柱端面１１と両側面１３，１３Ａに開口する外側及び内側係合溝１４，１５と、梁３の長さ方向に形成され、梁端面１２と上，下面１６，１７に開口し、突き合わせ状態で外側及び内側係合溝１４，１５に連続する上側及び下側係合溝１８，１９と、柱２の長さ方向に形成され、該柱２の柱下面５１と両側面１３，１３Ａに開口する対をなす下係合溝５２，５２と、梁用金具本体１と、柱下部用金具本体４と、を備え、柱梁用金具本体１は、外側係合溝１４と上側係合溝１８に挿入する外片部５と、内側係合溝１５と下側係合溝１９に挿入する内片部６とを備え、柱下部用金具本体４は、下部に設けたベース体４２と、このベース体４２に突設され、前記対をなす下係合溝５２，５２に挿入する対をなす下挿入片部４６，４６とを備えるから、係合溝の加工が容易で、立設した柱２に梁３を接合することができる柱梁接合構造を提供できる。
【００５１】
また、実施例上の効果として、山形をなす外片部５と、この外片部５と間隔を置いて配置され山形をなす内片部６とを別体で有するから、靭性を向上することができる。さらに、柱下部用金具本体４のベース体４２には、下連結部４７に切欠き部４７Ａ，４７Ａを挿通孔４５，４５に対応して設けたから、ナット４１の作業を切欠き部４７Ａ内において行うことができると共に、アンカーボルト４１の上部及びナット４１Ａをベース体４２内に収納できる。また、ベース体４２に上板４４を一体に設けたから、柱下面５１を確実に支持することができる。さらに、外片部５と内片部６が別体であるから、幅の異なる柱２及び上下幅の異なる梁３に使用可能となる。
【実施例２】
【００５２】
図１０は本発明の実施例２を示し、上記実施例１と同一部分に同一符号を付し、その説明を省略して詳述すると、この例では、前記挿通孔３２，３３を直径の２倍以上の長孔状の挿通孔３２´，３３´に形成しており、円形の挿通孔３２Ａ，３３Ａと上片部５の挿通孔３２´，３３´との位置合わせを容易に行うことができる。尚、前記挿通孔３２，３３を直径の２倍以下の長孔状の挿通孔３２´，３３´に形成してもよい。
【００５３】
このように本実施例では、上記実施例１と同様な作用・効果を奏し、また、この例では、挿通孔３２Ａ，３３Ａと挿通孔３２´，３３´の位置合わせが容易となり、交差梁３１の接合における作業性の向上を図ることができる。
【実施例３】
【００５４】
図１１〜図１２は本発明の実施例３を示し、上記実施例１と同一部分に同一符号を付し、その説明を省略して詳述すると、この例では、前記外片部５の屈曲部２１と内片部６の屈曲部２３とを連結する連結部７１とを備え、この連結部７１は略一定幅の帯状をなす。尚、連結部７１は柱端面１１及び梁端面１２と同一角度をなす。
【００５５】
また、前記柱端面１１及び梁端面１２には、突き合わせ状態で連続する柱端面係合溝７２及び梁端面係合溝７２Ａが形成され、これら係合溝７２，７２Ａの深さは前記連結部７１の幅の略１／２である。尚、この例では、柱端面係合溝７２が第一端面係合溝であり、梁端面係合溝７２Ａが第二端面係合溝である。
【００５６】
そして、柱端面係合溝７２は外側係合溝１４と内側係合溝１５を連結し、梁端面係合溝７２Ａは上側係合溝１８と下側係合溝１９を連結している。
【００５７】
このように本実施例では、上記各実施例と同様な作用・効果を奏し、また、この例では、請求項２に対応して、連結部７１により柱梁用金具本体１の剛性の向上を図ることができる。さらに、外片部５と内片部６とが連結部７１により一体化されているから、部品管理が容易となり、また、作業においては、両側の案内縁部２２Ｆ，２４Ｆ及びＲ加工部２８により係合溝への挿入作業が容易となる。
【実施例４】
【００５８】
図１３は本発明の実施例４を示し、上記実施例１と同一部分に同一符号を付し、その説明を省略して詳述すると、この例では、実施例３の連結部７１に長孔７３を穿設し、この長孔は連結部７１の略全長に設けられ、長孔７３の分だけ軽量化が計られ、且つ接合部における靭性が向上する。
【００５９】
このように本実施例では、上記各実施例と同様な作用・効果を奏し、また、この例でも、連結部７１により柱梁用金具本体１の剛性の向上を図りつつ靭性を向上することができる。
【００６０】
以上、本発明の実施形態について詳述したが、本発明は前記各実施形態に限定されるものではなく、本発明の要旨の範囲内で種々の変形実施が可能である。例えば、実施例では、外片部と内片部の幅，長さ，厚さ，結合孔の数及び配置を同一としたが、異なる設定にしてもよい。また、実施例では、柱と梁との接合を説明したが、第一接合部材たる柱と第二接合部材たる登り梁との接合や、第一接合部材である登り梁と第二接合部材である登り梁との頂部における接合などにも用いることができ、これらの場合、第一接合部材と第二接合部材の端面の角度は、実施例で示した略４５度ではなく、略６０度や略１２０度などとしてもよい。
【符号の説明】
【００６１】
１  柱梁用金具本体（接合金具本体）
２  柱（第一接合部材）
３  梁（第二接合部材）
４  柱下部用金具本体（接合金具本体）
５  外片部
６  内片部
１１  柱端面（第一端面）
１２  梁端面（第二端面）
１３  側面（外側・第一の一方側面）
１３Ａ  側面（内側・第一の他方側面）
１４  外側係合溝（第一の一方係合溝）
１５  内側係合溝（第一の他方係合溝）
１６  上面  （第二の一方側面）
１７  下面  （第二の他方側面）
１８  上側係合溝（第二の一方係合溝）
１９  下側係合溝（第二の他方係合溝）
２１  屈曲部
２２  外側挿入部
２２Ｆ  案内先端部
２３  屈曲部
２４  内側挿入部
２４Ｆ  案内先端部
２６  結合孔
２８  ピン
５１  柱下面
５２  下係合溝
７１  連結部
７２  柱端面係合溝（第一端面係合溝）
７２Ａ  梁端面係合溝（第二端面係合溝）
【図１】
2015094071.tif 000003
【図２】
2015094071.tif 000004
【図３】
2015094071.tif 000005
【図４】
2015094071.tif 000006
【図５】
2015094071.tif 000007
【図６】
2015094071.tif 000008
【図７】
2015094071.tif 000009
【図８】
2015094071.tif 000010
【図９】
2015094071.tif 000011
【図１０】
2015094071.tif 000012
【図１１】
2015094071.tif 000013
【図１２】
2015094071.tif 000014
【図１３】
2015094071.tif 000015
【手続補正書】
【提出日】平成26年12月22日(2014.12.22)
【手続補正１】
【補正対象書類名】特許請求の範囲
【補正対象項目名】全文
【補正方法】変更
【補正の内容】
【特許請求の範囲】
【請求項１】
第一接合部材の第一端面を斜めに形成すると共に、第二接合部材の第二端面を斜めに形成し、これら第一端面と第二端面に係合溝を形成し、前記第一端面と第二端面とを突き合せ、それら係合溝に接合金具本体を挿入し、この係合溝に挿入した接合金具本体の結合孔に、ピンを挿入して前記第一接合部材と第二接合部材とを接合する木造建築用の接合金具において、
前記第一接合部材には、前記第一端面と第一の一方側面及び前記第一端面と第一の他方側面に開口する第一の一方係合溝及び第一の他方係合溝が長さ方向に形成され、
前記第二接合部材には、前記第二端面と第二の一方側面及び前記第二端面と第二の他方側面に開口する第二の一方係合溝及び第二の他方係合溝が長さ方向に形成され、
前記接合金具本体は、前記第一の一方係合溝と前記第二の一方係合溝に挿入する外片部と、前記第一の他方係合溝と前記第二の他方係合溝に挿入する内片部とを備え、
前記第一端面及び第二端面には、突き合わせ状態で連続する第一端面係合溝及び第二端面係合溝が形成され、
前記第一端面係合溝と前記第二端面係合溝に挿入されると共に、前記外片部の屈曲部と内片部の屈曲部とを連結する連結部とを備えることを特徴とする木造建築用の接合金具。
【請求項２】
第一接合部材の第一端面を斜めに形成すると共に、第二接合部材の第二端面を斜めに形成し、これら第一端面と第二端面に係合溝を形成し、前記第一端面と第二端面とを突き合せ、それら係合溝に接合金具本体を挿入し、この係合溝に挿入した接合金具本体の結合孔に、ピンを挿入して前記第一接合部材と第二接合部材とを接合する木造建築用の接合金具において、
前記第一接合部材には、前記第一端面と第一の一方側面及び前記第一端面と第一の他方側面に開口する第一の一方係合溝及び第一の他方係合溝が長さ方向に形成され、
前記第二接合部材には、前記第二端面と第二の一方側面及び前記第二端面と第二の他方側面に開口する第二の一方係合溝及び第二の他方係合溝が長さ方向に形成され、
前記接合金具本体は、前記第一の一方係合溝と前記第二の一方係合溝に挿入する外片部と、前記第一の他方係合溝と前記第二の他方係合溝に挿入する内片部とを備え、
前記外片部の先端部には、先端側に向かって内側から外側に向かって傾斜した案内縁部を設け、前記内片部の先端部には、先端側に向かって外側から内側に向かって傾斜した案内縁部を設けたことを特徴とする木造建築用の接合金具。
【請求項３】
接合状態で前記外片部及び前記内片部の幅より前記外片部の内縁と前記内片部の内縁との間隔が大きいことを特徴とする請求項１記載の木造建築用の接合金具。
【請求項４】
前記外片部の先端部には、先端側に向かって内側から外側に向かって傾斜した案内縁部を設け、前記内片部の先端部には、先端側に向かって外側から内側に向かって傾斜した案内縁部を設けたことを特徴とする請求項１又は３記載の木造建築用の接合金具。
【手続補正２】
【補正対象書類名】明細書
【補正対象項目名】全文
【補正方法】変更
【補正の内容】
【発明の詳細な説明】
【技術分野】
【０００１】
本発明は、柱と梁を連結する木造建築用の接合金具と接合構造に関する。
【背景技術】
【０００２】
従来、この種の木造建築用の接合金具として、柱の側面に重ねる側板の一面側に柱の縦孔へ挿入する柱接合プレートと、他面側に梁の木口に形成した縦溝を挿入する梁接合プレートと、この梁接合プレートの下部の位置に梁受プレートを設けて接合金具を形成し、前記柱接合プレートに締結具で柱を締結するための複数の結合孔と、梁接合プレートに締結具で梁を締結するための複数の結合孔を設けた柱と梁の接合金具（例えば特許文献１）や、左右に間隔を開けて立てた一対の柱Ｈ，Ｈの上側の間に、一対の登り梁を逆Ｖ字型に突き合わせて架設し、逆Ｖ字型に連続する底面の隅角部分に連結金具を、両登り梁に当接する状態で配置すると共に、各登り梁に連結金具を固着手段によって固定し、両登り梁の突合わせ面の前後幅の中央部に、補助金具を収納する係合溝を上下方向に沿って形成し、両登り梁の側面には、係合溝に連通する複数の抜孔を、上下に間隔を開けて設けると共に、各嵌合穴の奥部に連通する複数の抜孔を開け、各抜孔に固着手段であるピンを打ち込むもの（例えば特許文献２）などが知られている。
【先行技術文献】
【特許文献】
【０００３】
【特許文献１】特開２００５−２９９１５０号公報
【特許文献２】特開２０００−２５７２０２号公報
【発明の開示】
【発明が解決しようとする課題】
【０００４】
上記特許文献１の接合金具では、梁の上下幅方向全長に渡って縦溝を形成する必要があり、また、上記特許文献２の接合金具では、登り梁の上下方向全長に渡って係合溝を形成する必要がある。そして、金具の取り付け部位には、高い木材加工精度が要求され、対応できるプレカット工場は限定されていた。
【０００５】
即ち、このように梁の幅方向全長に溝を形成するには、特殊な機械が必要となり、また、梁の長さ方向に長い溝を形成するにも専用の機械が必要となるという問題があった。
【０００６】
さらに、従来のように梁の上下幅方向全長の接合プレートを用いた場合、結合孔が接合プレートの中央部を除いた幅方向両側に設けられているように、接合プレートの中央部は曲げモーメントに対抗する力が小さい部分であるから、材料費的に無駄な面がある。
【０００７】
また、梁の上下幅方向全長の接合プレートは接合プレートに大きな曲げモーメントが加わると、ピンにより木質の梁に亀裂などが生じ易く、接合部における靭性を確保することが難しかった。
【０００８】
そこで、本発明では、上記の問題点を考慮して、溝の加工が容易で、材料費を低減することができる木造建築用の接合金具と接合構造を提供することを目的とする。
【課題を解決するための手段】
【０００９】
請求項１の発明は、第一接合部材の第一端面を斜めに形成すると共に、第二接合部材の第二端面を斜めに形成し、これら第一端面と第二端面に係合溝を形成し、前記第一端面と第二端面とを突き合せ、それら係合溝に接合金具本体を挿入し、この係合溝に挿入した接合金具本体の結合孔に、ピンを挿入して前記第一接合部材と第二接合部材とを接合する木造建築用の接合金具において、前記第一接合部材には、前記第一端面と第一の一方側面及び前記第一端面と第一の他方側面に開口する第一の一方係合溝及び第一の他方係合溝が長さ方向に形成され、前記第二接合部材には、前記第二端面と第二の一方側面及び前記第二端面と第二の他方側面に開口する第二の一方係合溝及び第二の他方係合溝が長さ方向に形成され、前記接合金具本体は、前記第一の一方係合溝と前記第二の一方係合溝に挿入する外片部と、前記第一の他方係合溝と前記第二の他方係合溝に挿入する内片部とを備え、前記第一端面及び第二端面には、突き合わせ状態で連続する第一端面係合溝及び第二端面係合溝が形成され、前記第一端面係合溝と前記第二端面係合溝に挿入されると共に、前記外片部の屈曲部と内片部の屈曲部とを連結する連結部とを備えることを特徴とする。
【００１０】
また、請求項２の発明は、第一接合部材の第一端面を斜めに形成すると共に、第二接合部材の第二端面を斜めに形成し、これら第一端面と第二端面に係合溝を形成し、前記第一端面と第二端面とを突き合せ、それら係合溝に接合金具本体を挿入し、この係合溝に挿入した接合金具本体の結合孔に、ピンを挿入して前記第一接合部材と第二接合部材とを接合する木造建築用の接合金具において、前記第一接合部材には、前記第一端面と第一の一方側面及び前記第一端面と第一の他方側面に開口する第一の一方係合溝及び第一の他方係合溝が長さ方向に形成され、前記第二接合部材には、前記第二端面と第二の一方側面及び前記第二端面と第二の他方側面に開口する第二の一方係合溝及び第二の他方係合溝が長さ方向に形成され、前記接合金具本体は、前記第一の一方係合溝と前記第二の一方係合溝に挿入する外片部と、前記第一の他方係合溝と前記第二の他方係合溝に挿入する内片部とを備え、前記外片部の先端部には、先端側に向かって内側から外側に向かって傾斜した案内縁部を設け、前記内片部の先端部には、先端側に向かって外側から内側に向かって傾斜した案内縁部を設けたことを特徴とすることを特徴とする。
【００１１】
また、請求項３の発明は、接合状態で前記外片部及び前記内片部の幅より前記外片部の内縁と前記内片部の内縁との間隔が大きいことを特徴とする。
【００１２】
また、請求項４の発明は、前記外片部の先端部には、先端側に向かって内側から外側に向かって傾斜した案内縁部を設け、前記内片部の先端部には、先端側に向かって外側から内側に向かって傾斜した案内縁部を設けたことを特徴とする。
【発明の効果】
【００１３】
請求項１及び２の構成によれば、第一接合部材には、該第一接合部材の幅方向中央部を除いた第一の一方係合溝と第一の他方係合溝を形成すればよく、第二接合部材には、該第二接合部材の幅方向中央部を除いた第二の一方係合溝と第二の他方係合溝を形成すればよく、表面から比較的浅い係合溝を加工するだけで済む。
【００１４】
そして、前記第一の一方係合溝と前記第二の一方係合溝に挿入する外片部と、前記第一の他方係合溝と前記第二の他方係合溝に挿入する内片部とを備えた接合金具本体により、第一接合部材と第二接合部材を接合することができる。
【００１５】
また、請求項１の構成によれば、第一端面及び第二端面には連結部を挿入する第一端面係合溝と第二端面係合溝を形成すればよく、係合溝の加工が容易になり、しかも、連結部により外片部と内片部を一体化することにより剛性が向上する。
【００１６】
また、請求項３の構成によれば、材料費を抑えながら、曲げモーメントに効率よく対抗する構造が得られる。即ち、接合部に曲げモーメントが加わると、第一接合部材と第二接合部材の両側が引張領域及び圧縮領域となるから、これらに効率よく対抗できる。
【００１７】
また、請求項２及び４の構成によれば、案内縁部により係合溝への挿入が容易となる。
【図面の簡単な説明】
【００１８】
【図１】本発明の実施例１を示す柱梁用金具本体の使用状態の正面図である。
【図２】同上、分解斜視図である。
【図３】同上、要部の拡大断面図である。
【図４】同上、柱下部用金具本体の使用状態の断面図である。
【図５】同上、柱下部用金具本体の使用状態の側面図である。
【図６】同上、柱下部用金具本体の要部の正面図である。
【図７】同上、柱下部用金具本体の部品の平面図である。
【図８】同上、接合金具本体を用いて柱と梁を接合した門型構造の断面図である。
【図９】同上、交差梁の接合状態を示す側面図である。
【図１０】本発明の実施例２を示す柱梁用金具本体の使用状態の正面図である。
【図１１】本発明の実施例３を示す柱梁用金具本体の使用状態の正面図である。
【図１２】同上、梁の端部の斜視図である。
【図１３】本発明の実施例４を示す柱梁用金具本体の使用状態の正面図である。
【発明を実施するための最良の形態】
【００１９】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。各実施例では、従来とは異なる新規な柱梁連結金具を採用することにより、従来にない柱梁連結金具が得られ、その柱梁連結金具について記述する。
【実施例１】
【００２０】
図１〜図９は、本発明の実施例１を示し、同図に示すように、接合金具本体である柱梁用金具本体１は、木質材料からなる柱２と梁３とを接合するものであり、接合金具本体である柱下部用金具本体４は、基礎に柱２を立設するものである。尚、この例では、柱２が第一接合部材であり、梁３が第二接合部材である。
【００２１】
そして、前記柱梁用金具本体１は、山形をなす外片部５と、この外片部５と間隔を置いて配置され山形をなす内片部６とを別体で有し、それら外片部５と内片部６は金属板材、例えば鋼板などからなる。そして、外片部５と内片部６の幅，長さ及び板厚は同一であり、後述する結合孔の配置も同一であるが、外片部５と内片部６とが異なるものを用いてもよい。
【００２２】
また、図１及び図２に示すように、柱２の上端に位置する柱端面１１を斜めに形成すると共に、梁の一端に位置する梁端面１２を斜めに形成しており、立設した柱の柱端面１１に梁端面１２を突き合わせることにより、梁３が横方向に配置される。尚、添付の図面では、柱端面１１及び梁端面１２は長さ方向に対して略４５度の角度に形成されているが、９０度以外の異なる角度にしてもよい。また、この例では、柱端面１１が第一端面であり、梁端面１２が第二端面である。
【００２３】
前記柱２には、前記柱端面１１と両側面１３，１３Ａに開口する外側及び内側係合溝１４，１５が長さ方向に形成され、これら外側及び内側係合溝１４，１５は前記外片部５及び内片部６の幅と長さと厚さに対応して形成されている。尚、この例では、外側の側面１３が第一の一方側面であり、内側の側面１３Ａが第一の他方側面であり、また、外側係合溝１４が第一の一方係合溝であり、内側係合溝１５が第一の他方係合溝である。
【００２４】
そして、内側及び外側係合溝１５，１４の幅は、それら１５の内縁と外側係合溝１４の内縁との間の間隔Ｋより狭く形成されている。
【００２５】
また、梁３には、前記梁端面１２と上面１６及び下面１７に開口する上側及び下側係合溝１８，１９が長さ方向に形成され、これら上側及び下側係合溝１８，１９は前記外片部５及び内片部６の幅と長さと厚さに対応して形成されている。そして、柱端面１１と梁端面１２とを突き合わせた状態で、外側及び内側係合溝１４，１５に連続する上側及び下側係合溝１８，１９が連続する。尚、外側及び内側係合溝１４，１５は側面１３，１３Ａの幅方向中央に形成され、上側及び下側係合溝１８，１９は上面及び下面１６，１７の幅方向中央に形成されている。尚、この例では、上面１６第二の一方側面であり、下面１７が第二の他方側面であり、また、上側係合溝１８が第二の一方係合溝であり、下側係合溝１９が第二の他方係合溝である。
【００２６】
そして、上側及び下側係合溝１８，１９の幅は、それら上側係合溝１８の下縁と下側係合溝１９の上縁との間の間隔Ｋ´より狭く形成されている。尚、上側及び下側係合溝１８，１９の幅と長さと厚さは、内側及び外側係合溝１４，１５の幅と長さと厚さに等しい。
【００２７】
前記外片部５は中央に屈曲部２１を有し、この屈曲部２１の両側に前記外側係合溝１４と上側係合溝１８に挿入する外側挿入部２２，２２を有する。前記内片部６は中央に屈曲部２３を有し、この屈曲部２３の両側に前記内側係合溝１５と下側係合溝１９に挿入する内側挿入部２４，２４を有する。
【００２８】
また、外片部５の外側挿入部２２，２２の先端には、先端側に向かって内側から外側に向かって傾斜した案内縁部２２Ｆ，２２Ｆを設け、前記内片部６の内側挿入部２４，２４の先端には、先端側に向かって外側から内側に向かって傾斜した案内縁部２４Ｆ，２４Ｆを設けており、それら案内縁部２２Ｆ，２４Ｆは凸状の湾曲形状に形成され、先端にはＲ加工部２５が設けられている。
【００２９】
尚、図３に示すように、挿入部２２，２４の幅は係合溝１８，１４，１９，１５の幅と略同一か僅かに広く、係合溝１８，１４，１９，１５の先端１８Ｔ，１４Ｔ，１９Ｔ，１５Ｔは湾曲状に形成されている。
【００３０】
さらに、前記外側挿入部２２，２２及び内側挿入部２４，２４の内縁側で先端側には、複数（この例では４個）の結合孔２６が長さ方向に並んで穿設されている。また、それら結合孔２６に対応して、前記柱２及び梁３には挿通孔２７が穿設されている。そして、前記挿通孔２７と結合孔２６に、ボルトやドリフトピンなどのピン２８を挿入することにより、連結する。
【００３１】
また、前記外側挿入部２２，２２の屈曲部２１側には、交差方向の交差梁３１を連結するための挿通孔３２，３３を穿設している。
【００３２】
前記屈曲部２１の中央に位置する前記挿通孔３２は、両側の外側挿入部２２，２２の長さ方向に長く形成されて略Ｌ形をなし、中央の挿通孔３２から両側に向かって並んだ複数の前記挿通孔３３は、外側挿入部２２の幅方向に長く形成されている。尚、添付の図面では、いずれの挿通孔３２，３３とも直径の２倍以下の長さの長孔であるが、２倍以上にしてもよい。また、挿通孔３２，３３を使用する場合は、柱２と梁３にもそれら挿通孔３２，３３に対応して、円形の挿通孔３２Ａ，３３Ａを穿設する。
【００３３】
前記柱下部用金具本体４は、金属板材、例えば鋼板などを組み合わせてなり、図示しない基礎にアンカーボルト４１，４１を突設し、前記基礎上に直接箱型のベース体４２が固定される。
【００３４】
前記ベース体４２は、上が開口したコ字形のベース枠４３と、このベース枠４３の上部に設ける上板４４とを一体に有し、ベース枠４３と上板４４の中央は上下方向の仕切り板４５により連結されている。前記ベース枠４３の底板部４３Ｔには、前記アンカーボルト４１を挿通する挿通孔４３Ａ，４３Ａが左右に穿設されている。
【００３５】
前記柱２の下部には、柱下面５１と側面１３，１３Ａに開口する下係合溝５２，５２が設けられている。前記柱下部用金具本体４には、図６に示すように、それら下係合溝５２，５２に挿入する下挿入部４６，４６を備え、これら下挿入部４６，４６の下部は下連結部４７により連結されている。この下連結部４７の下縁には、左右に切欠き部４７Ａ，４７Ａを設け、これら切欠き部４７Ａ，４７Ａは前記挿通孔４３Ａ，４３Ａに対応して形成されている。尚、それら下挿入部４６，４６及び下連結部４７は１枚の金属板材からなる。
【００３６】
前記下挿入部４６は、上下方向に長く形成され、その先端には、先端側に向かって柱２の中央から外側に向かって傾斜した案内縁部４８を設けており、この案内縁部４８は凸状の湾曲形状に形成され、先端にはＲ加工部４９が設けられてる。また、下挿入部４７の内縁側で上端側には、複数の結合孔２６が長さ方向に並んで穿設されている。また、それら結合孔２６に対応して、前記柱２には挿通孔２７が穿設されている。
【００３７】
そして、上板４４の左右には、前記下挿入部４６，４６を挿通するスリット５０，５０が形成されており、これらスリット５０，５０はそれぞれ両側に開口する。そして、それらスリット５０，５０に両側の下挿入部４６，４６を挿通し、上板４４の下面が下連結部４７の上縁に当接すると共に、下連結部４７がベース枠４３の底板部４３Ｔに当接し、この状態で部材同士を溶接などにより接合一体化する。尚、上板４４の上面は平坦に形成されている。
【００３８】
次に、前記柱梁用金具本体１の使用方法について説明する。柱端面１１と梁端面１２とを突き合わせ、連続した外側係合溝１４と上側係合溝１８に、外片部５を挿入配置し、また、連続した内側係合溝１５と下側係合溝１９に、内片部６を挿入配置し、結合孔２６と挿入孔２７にピン２８を挿入することにより、柱２と梁３を連結固定する。
【００３９】
一方、柱２と梁３とを連結した後、または、連結する前に、柱２の柱下面５１の下係合溝５２，５２に、下挿入部４６，４６の先端を合わせ、下係合溝５２，５２の長さ方向の両下挿入部４６，４６をスライドして、下係合溝５２，５２に下挿入部４６，４６を挿入配置する。この場合、下挿入部４６の先端には、案内縁部４８が形成されているため、スムーズに挿入することができる。この後、結合孔２６と挿入孔２７にピン２８を挿入することにより、柱下部用金具本体４に柱２を連結固定する。
【００４０】
また、挿通孔４３Ａ，４３Ａにアンカーボルト４１の上端を挿入し、該アンカーボルト４１にナット４１Ａを螺合することにより、柱下部用金具本体４を固定する。これにより布基礎などの上に柱２を立設することができる。
【００４１】
図８に示すように、両側の柱２，２の上端間に梁３を接合することにより、門型構造が得られる。そして、この例では、外片部５と内片部６とを別体で設けているため、柱２と梁３との角度を大きくしたり小さくしたりする荷重を繰り返し加える試験を行った結果、柱梁用金具本体１の塑性変形により接合部における靭性の向上を図ることができた。
【００４２】
また、図９に示すように、柱２の上部に前記梁３と交差する交差梁３１を連結する場合は、前記挿通孔３２，３３に対応して、柱２に挿通孔３２Ａ，３３Ａを穿設し、固定手段たるボルト６１を、前記挿通孔３２Ａ，３３Ａ及び挿通孔３２，３３に挿通する。また、交差梁３１には上下方向に貫通する一対の嵌入溝６２，６２が間隔を置いて縦設され、これら嵌入溝６２，６２に固定金具６３が挿入される。
【００４３】
前記固定金具６３は、鋼板をコ字型に折曲形成して前記柱２に固定する背板部６４と、この背板部６４の両側縁から互いに平行するように屈曲した一対の側板部６５，６５とを一体に有している。そして、前記背板部６４に前記ボルト６１を挿通し、このボルト６１にナット６１Ａを螺合することにより、前記側面１３，１３Ａ以外の柱２の側面に固定金具６３を固定し、この固定金具６３の両側板部６５，６５を前記一対の嵌入溝６２，６２に係入する。また、前記側板部６５の上部には、上部が開口した切欠孔６６が形成され、前記切欠孔６６により交差梁３１に圧入したドリフトピンなどのピン２８を支持し、さらに、交差梁３１に挿通したピン２８を、側板部６５の結合孔２６に挿入することにより、交差梁３１を柱２に連結することができる。
【００４４】
このように本実施例では、請求項１及び２に対応して、第一接合部材たる柱２の第一端面たる柱端面１１を斜めに形成すると共に、第二接合部材たる梁３の第二端面たる梁端面１２を斜めに形成し、これら柱端面１１と梁端面１２に係合溝を形成し、前記柱端面１１と梁端面１２とを突き合せ、それら係合溝に接合金具本体たる柱梁用金具本体１を挿入し、この係合溝に挿入した柱梁用金具本体１の結合孔２６に、ピン２８を挿入して柱２と梁３とを接合する木造建築用の柱梁接合金具において、柱２には、柱端面１１と第一の一方側面，第一の他方側面たる両側面１３，１３Ａに開口する第一の一方係合溝及び第一の他方係合溝たる外側及び内側係合溝１４，１５が長さ方向に形成され、梁３には、梁端面１２と第二の一方側面，第二の他方側面たる上，下面１６，１７に開口し、突き合わせ状態で外側及び内側係合溝１４，１５に連続する第二の一方係合溝及び第二の他方係合溝たる上側及び下側係合溝１８，１９が長さ方向に形成され、接合金具本体たる柱梁用金具本体１は、外側係合溝１４と上側係合溝１８に挿入する外片部５と、内側係合溝１５と下側係合溝１９に挿入する内片部６とを備えるから、柱２には、該柱２の幅方向中央部を除いた外側係合溝１４と内側係合溝１５を形成すればよく、梁３には、該梁３の幅方向中央部を除いた上側係合溝１８と下側係合溝１９を形成すればよく、表面から比較的浅い係合溝を加工するだけで済む。
【００４５】
そして、外側係合溝１４と上側係合溝１８に挿入する外片部５と、内側係合溝１５と下側係合溝１９に挿入する内片部６とを備えた柱梁用金具本体１により、柱２と梁３を接合することができる。
【００４６】
また、このように本実施例では、請求項３に対応して、接合状態で外片部５及び内片部６の幅より外片部５の内縁と内片部６の内縁との間隔Ｋ，Ｋ´が大きいから、材料費を抑えながら、曲げモーメントに効率よく対抗する構造が得られる。即ち、接合部に曲げモーメントが加わると、柱２と梁３に両側が引張領域及び圧縮領域となるから、これらに効率よく対抗できる。
【００４７】
また、このように本実施例では、請求項２及び４に対応して、外片部５の先端部には、先端側に向かって内側から外側に向かって傾斜した案内縁部２２Ｆを設け、内片部６の先端部には、先端側に向かって外側から内側に向かって傾斜した案内縁部２４Ｆを設けたから、案内縁部２２Ｆ，２４Ｆにより係合溝１８，１４，１９，１５への挿入が容易となる。
【００４８】
また、実施例上の効果として、柱２の柱端面１１を斜めに形成すると共に、梁３の梁端面１２を斜めに形成し、これら柱端面１１と梁端面１２に係合溝を形成し、前記柱端面１１と梁端面１２とを突き合せ、それら係合溝に接合金具本体たる柱梁用金具本体１を挿入し、この係合溝に挿入した柱梁用金具本体１の結合孔２６に、ピン２８を挿入して柱２と梁３とを接合する木造建築用の柱梁接合構造において、柱２の長さ方向に形成され、柱端面１１と両側面１３，１３Ａに開口する外側及び内側係合溝１４，１５と、梁３の長さ方向に形成され、梁端面１２と上，下面１６，１７に開口し、突き合わせ状態で外側及び内側係合溝１４，１５に連続する上側及び下側係合溝１８，１９と、柱２の長さ方向に形成され、該柱２の柱下面５１と両側面１３，１３Ａに開口する対をなす下係合溝５２，５２と、梁用金具本体１と、柱下部用金具本体４と、を備え、柱梁用金具本体１は、外側係合溝１４と上側係合溝１８に挿入する外片部５と、内側係合溝１５と下側係合溝１９に挿入する内片部６とを備え、柱下部用金具本体４は、下部に設けたベース体４２と、このベース体４２に突設され、前記対をなす下係合溝５２，５２に挿入する対をなす下挿入片部４６，４６とを備えるから、係合溝の加工が容易で、立設した柱２に梁３を接合することができる柱梁接合構造を提供できる。
【００４９】
また、実施例上の効果として、山形をなす外片部５と、この外片部５と間隔を置いて配置され山形をなす内片部６とを別体で有するから、靭性を向上することができる。さらに、柱下部用金具本体４のベース体４２には、下連結部４７に切欠き部４７Ａ，４７Ａを挿通孔４３Ａ，４３Ａに対応して設けたから、ナット４１Ａの作業を切欠き部４７Ａ内において行うことができると共に、アンカーボルト４１の上部及びナット４１Ａをベース体４２内に収納できる。また、ベース体４２に上板４４を一体に設けたから、柱下面５１を確実に支持することができる。さらに、外片部５と内片部６が別体であるから、幅の異なる柱２及び上下幅の異なる梁３に使用可能となる。
【実施例２】
【００５０】
図１０は本発明の実施例２を示し、上記実施例１と同一部分に同一符号を付し、その説明を省略して詳述すると、この例では、前記挿通孔３２，３３を直径の２倍以上の長孔状の挿通孔３２´，３３´に形成しており、円形の挿通孔３２Ａ，３３Ａと外片部５の挿通孔３２´，３３´との位置合わせを容易に行うことができる。尚、前記挿通孔３２，３３を直径の２倍以下の長孔状の挿通孔３２´，３３´に形成してもよい。
【００５１】
このように本実施例では、上記実施例１と同様な作用・効果を奏し、また、この例では、挿通孔３２Ａ，３３Ａと挿通孔３２´，３３´の位置合わせが容易となり、交差梁３１の接合における作業性の向上を図ることができる。
【実施例３】
【００５２】
図１１〜図１２は本発明の実施例３を示し、上記実施例１と同一部分に同一符号を付し、その説明を省略して詳述すると、この例では、前記外片部５の屈曲部２１と内片部６の屈曲部２３とを連結する連結部７１とを備え、この連結部７１は略一定幅の帯状をなす。尚、連結部７１は柱端面１１及び梁端面１２と同一角度をなす。
【００５３】
また、前記柱端面１１及び梁端面１２には、突き合わせ状態で連続する柱端面係合溝７２及び梁端面係合溝７２Ａが形成され、これら係合溝７２，７２Ａの深さは前記連結部７１の幅の略１／２である。尚、この例では、柱端面係合溝７２が第一端面係合溝であり、梁端面係合溝７２Ａが第二端面係合溝である。
【００５４】
そして、柱端面係合溝７２は外側係合溝１４と内側係合溝１５を連結し、梁端面係合溝７２Ａは上側係合溝１８と下側係合溝１９を連結している。
【００５５】
このように本実施例では、上記各実施例と同様な作用・効果を奏し、また、この例では、請求項１に対応して、連結部７１により柱梁用金具本体１の剛性の向上を図ることができる。さらに、外片部５と内片部６とが連結部７１により一体化されているから、部品管理が容易となり、また、作業においては、両側の案内縁部２２Ｆ，２４Ｆ及びＲ加工部２５により係合溝への挿入作業が容易となる。
【実施例４】
【００５６】
図１３は本発明の実施例４を示し、上記実施例１と同一部分に同一符号を付し、その説明を省略して詳述すると、この例では、実施例３の連結部７１に長孔７３を穿設し、この長孔は連結部７１の略全長に設けられ、長孔７３の分だけ軽量化が計られ、且つ接合部における靭性が向上する。
【００５７】
このように本実施例では、上記各実施例と同様な作用・効果を奏し、また、この例でも、連結部７１により柱梁用金具本体１の剛性の向上を図りつつ靭性を向上することができる。
【００５８】
以上、本発明の実施形態について詳述したが、本発明は前記各実施形態に限定されるものではなく、本発明の要旨の範囲内で種々の変形実施が可能である。例えば、実施例では、外片部と内片部の幅，長さ，厚さ，結合孔の数及び配置を同一としたが、異なる設定にしてもよい。また、実施例では、柱と梁との接合を説明したが、第一接合部材たる柱と第二接合部材たる登り梁との接合や、第一接合部材である登り梁と第二接合部材である登り梁との頂部における接合などにも用いることができ、これらの場合、第一接合部材と第二接合部材の端面の角度は、実施例で示した略４５度ではなく、略６０度や略１２０度などとしてもよい。
【符号の説明】
【００５９】
１  柱梁用金具本体（接合金具本体）
２  柱（第一接合部材）
３  梁（第二接合部材）
４  柱下部用金具本体（接合金具本体）
５  外片部
６  内片部
１１  柱端面（第一端面）
１２  梁端面（第二端面）
１３  側面（外側・第一の一方側面）
１３Ａ  側面（内側・第一の他方側面）
１４  外側係合溝（第一の一方係合溝）
１５  内側係合溝（第一の他方係合溝）
１６  上面  （第二の一方側面）
１７  下面  （第二の他方側面）
１８  上側係合溝（第二の一方係合溝）
１９  下側係合溝（第二の他方係合溝）
２１  屈曲部
２２  外側挿入部
２２Ｆ  案内縁部
２３  屈曲部
２４  内側挿入部
２４Ｆ  案内縁部
２６  結合孔
２８  ピン
５１  柱下面
５２  下係合溝
７１  連結部
７２  柱端面係合溝（第一端面係合溝）
７２Ａ  梁端面係合溝（第二端面係合溝）
【手続補正３】
【補正対象書類名】図面
【補正対象項目名】図２
【補正方法】変更
【補正の内容】
【図２】
2015094071.tif 000016